(57)【特許請求の範囲】
【請求項１】
外装体と、該外装体の内面側に固定された吸収体を含む吸収性本体とを備え、腹側部と背側部との間を股部を介して延びる縦方向と該縦方向に交差する横方向とを有するパンツ型吸収性物品であって、
前記外装体は、外表面を形成する外層シートを有しており、
前記パンツ型吸収性物品は、前記外層シートと前記吸収体との間に位置し、該吸収体から縦方向外方に延出する中間シートを有しており、
前記腹側部は、ウエスト領域と、前記吸収体の位置する下腹部領域と、該ウエスト領域と該下腹部領域との間に位置する上腹部領域とを有しており、
前記上腹部領域においては、上腹部弾性部材が前記中間シートに、横方向に延びて固定され、該上腹部弾性部材が前記外層シートとは接合されておらず、該外層シートが該上腹部弾性部材及び前記中間シートと非接合状態となっている上腹部非接合領域が存在し、
前記下腹部領域においては、下腹部弾性部材が、該下腹部弾性部材の配置位置に配された下腹部接着剤を介して前記外層シートと前記中間シートとの間に横方向に延びて固定されており、縦方向に隣り合う該下腹部弾性部材どうしの間に、該外層シートと該中間シートとが接合されていない非接合領域が形成され、
前記ウエスト領域は、横方向に延びて配された複数本のウエスト弾性部材と、複数本の該ウエスト弾性部材を間に配する前記外層シート及び該外層シートの肌対向面に対向するシートとを有し、該ウエスト領域においては、複数本の前記ウエスト弾性部材及び縦方向に隣り合う複数本の前記ウエスト弾性部材どうしの間が、前記外層シート及び前記外層シートの肌対向面に対向するシートのそれぞれに配された接着剤で接合されているパンツ型吸収性物品。
【請求項２】
前記下腹部弾性部材各々は、前記吸収体と重なる領域において、横方向に、複数個に分断されている請求項１に記載のパンツ型吸収性物品。
【請求項３】
前記下腹部弾性部材における複数個に分断された分断弾性部材それぞれは、横方向に収縮力を有している請求項２に記載のパンツ型吸収性物品。
【請求項４】
前記吸収性本体の肌対向面側における縦方向の両端部それぞれを覆う補助シートを備え、
前記中間シートは、前記外装体の有する内層シート又は前記吸収性本体の有する裏面シートであり、
前記上腹部領域においては、前記上腹部弾性部材が、該上腹部弾性部材の配置位置に配された上腹部接着剤を介して、前記裏面シートの縦方向の延出部分又は前記内層シートと、前記吸収性本体の有する表面シートの縦方向の延出部分又は前記補助シートとの間に横方向に延びて固定されており、縦方向に隣り合う該上腹部弾性部材どうしの間に、前記裏面シートの縦方向の延出部分又は前記内層シートと、前記吸収性本体の有する表面シートの縦方向の延出部分又は前記補助シートとが接合されていない非接合領域が形成されている請求項１〜３の何れか１項に記載のパンツ型吸収性物品。
【発明の詳細な説明】
【技術分野】
【０００１】
本発明は、パンツ型吸収性物品に関する。
【背景技術】
【０００２】
従来、パンツ型の使い捨ておむつにおいて、胴回り部に配する胴回り部弾性部材を、おむつの外表面を形成する最外層シート以外の部材に固定し、その胴回り弾性部材と最外層シートとの間に非接合領域を設けることによって、最外層シートの内方にギャザーを形成する一方、胴回り部の外表面にはギャザーが形成されないようにする技術が知られている（特許文献１，２参照）。
【先行技術文献】
【特許文献】
【０００３】
【特許文献１】特開２００６−３０５３７４号公報
【特許文献２】特開平１１−４８５３号公報
【発明の概要】
【発明が解決しようとする課題】
【０００４】
特許文献１，２に記載のおむつは、胴回り部の外表面にギャザーが形成されないため、すっきりとした外観を呈する。しかし、これらのおむつは、吸収性本体の備える吸収体と最外層シートとが接合されていないため、着用時の最外層シートの動きに吸収体が追従し難く、吸収体がズレたり、ヨレを生じたりしてしまう場合があった。仮に吸収体がズレたりヨレたりすると、漏れが生じたり着用感が悪化してしまう虞があるので、改善の余地があった。また、両文献記載のおむつは、胴回り部弾性部材がシートの所定領域にベタ状に塗布された接着剤により固定されているため、通気性の観点からも改良の余地があった。
【０００５】
従って、本発明は、すっきりとした外観を呈すると共に、漏れが生じ難く着用感が向上し、通気性が向上するパンツ型吸収性物品を提供することにある。
【課題を解決するための手段】
【０００６】
本発明は、外装体と、該外装体の内面側に固定された吸収体を含む吸収性本体とを備え、腹側部と背側部との間を股部を介して延びる縦方向と該縦方向に交差する横方向とを有するパンツ型吸収性物品であって、前記外装体は、外表面を形成する外層シートを有しており、前記パンツ型吸収性物品は、前記外層シートと前記吸収体との間に位置し、該吸収体から縦方向外方に延出する中間シートを有しており、前記腹側部は、ウエスト領域と、前記吸収体の位置する下腹部領域と、該ウエスト領域と該下腹部領域との間に位置する上腹部領域とを有しており、前記上腹部領域においては、上腹部弾性部材が前記中間シートに横方向に延びて固定され、前記外層シートと前記中間シートとの間に非接合状態となっている上腹部非接合領域が存在し、前記下腹部領域においては、下腹部弾性部材が、該下腹部弾性部材の配置位置に配された下腹部接着剤を介して前記外層シートと前記中間シートとの間に横方向に延びて固定されており、縦方向に隣り合う該下腹部弾性部材どうしの間に、該外層シートと該中間シートとが接合されていない非接合領域が形成されているパンツ型吸収性物品を提供するものである。
【発明の効果】
【０００７】
本発明のパンツ型吸収性物品は、すっきりとした外観を呈すると共に、漏れが生じ難く、着用感に優れ、さらに、通気性にも優れる。
【図面の簡単な説明】
【０００８】
【図１】図１は、本発明のパンツ型吸収性物品の第１実施形態であるパンツ型使い捨ておむつを示す斜視図である。
【図２】図２は、図１に示すおむつを伸長させて拡げた状態を表面シート側から見た展開平面図である
【図３】図３は、図２のＩ−Ｉ線断面図である。
【図４】図４は、本発明の第２実施形態であるパンツ型使い捨ておむつの厚み方向の断面図である（図３相当図）。
【図５】図５は、本発明の第３実施形態であるパンツ型使い捨ておむつの厚み方向の断面図である（図３相当図）。
【図６】図６は、本発明の第４実施形態であるパンツ型使い捨ておむつの厚み方向の断面図である（図３相当図）。
【発明を実施するための形態】
【０００９】
以下に、本発明のパンツ型吸収性物品を、その好ましい第１実施形態に基づき図面を参照しながら説明する。
本発明の第１実施形態であるパンツ型使い捨ておむつ１Ａ（以下、「おむつ１Ａ」ともいう）は、図２に示すように、外装体１１と、該外装体１１の内面側に固定された吸収体４を含む吸収性本体１０とを備えている。
おむつ１Ａは、着用時に着用者の腹側に配される腹側部Ａ、着用時に着用者の背側に配される背側部Ｂ、及び腹側部Ａと背側部Ｂとの間に位置して、着用時に着用者の股間部に配される股部Ｃを有している。
【００１０】
おむつ１Ａは、腹側部Ａと背側部Ｂとの間を股部Ｃを介して延びる縦方向と縦方向に交差する横方向とを有している。各図中に示すＹ方向が縦方向であり、各図中に示すＸ方向が横方向である。図２に示すように、展開且つ伸長状態のおむつ１Ａにおいて、おむつ１Ａにおける横方向Ｘは、縦方向Ｙと直交している。また、腹側部Ａ及び背側部Ｂのそれぞれにおいて、パンツ型吸収性物品の縦方向は、着用時の上下方向であるため、本明細書においては、腹側部Ａ及び背側部Ｂの縦方向に関し、ウエスト開口縁Ｗ側を上、股部Ｃ側を下とも表現する。また、本明細書において、「肌対向面」とは、吸収性本体１０などの各部材の表裏両面のうち、着用時に着用者の肌側に配される面であり、「非肌対向面」とは、吸収性本体１０などの各部材の表裏両面のうち、着用時に着用者の肌側とは反対側に向けられる面である。
【００１１】
外装体１１は、図２〜図３に示すように、外表面を形成する外層シート１２を有しており、おむつ１Ａは、外層シート１２と吸収体４との間に位置し、吸収体４から縦方向Ｙ外方に延出する中間シート１３を有している。中間シート１３は、外装体１１の厚み方向Ｚにおいて、外層シート１２よりも内側（着用時に着用者の肌に近い側）に配されており、吸収体４から吸収体４の縦方向Ｙ外方に亘って延在している。中間シート１３は、本実施形態のおむつ１Ａにおいては、外装体１１の有する内層シート１４である。
【００１２】
おむつ１Ａの外装体１１について詳述すると、図３に示すように、外装体１１の外層シート１２は、おむつ１Ａの外表面を形成しており、外装体１１の内層シート１４は、外層シート１２に隣接させて該外層シート１２の肌対向面側に配されている。外層シート１２及び内層シート１４は、それぞれ、腹側部Ａ、股部Ｃ及び背側部Ｂに亘って連続している。外層シート１２は、内層シート１４の縦方向Ｙ外方に延出し、更に後述する補助シート１５の縦方向Ｙ外方にも延出し、ウエスト開口縁Ｗにおいて内面側（肌対向面側）に折り返されており、折り返された部分が補助シート１５の肌対向面に配設固定されている。外装体１１は、図１に示すように、腹側部Ａにおける両側縁部と、背側部Ｂにおける両側縁部とが互いに接合されており、その接合によって、おむつ１Ａに、一対のサイドシール部Ｓ，Ｓ、ウエスト開口部５及び一対のレッグ開口部６，６が形成されている。ウエスト開口縁Ｗは、ウエスト開口部５の周縁である。外装体１１は、展開且つ伸長状態のおむつ１Ａにおいては、図２に示すように、縦方向Ｙ中央部が括れた砂時計状の形状をしている。
【００１３】
おむつ１Ａは、図２〜図３に示すように、吸収性本体１０の肌対向面側における縦方向Ｙの両端部１０ｗそれぞれを覆う補助シート１５を備えている。以下詳述すると、補助シート１５は背側部Ｂ及び腹側部Ａにそれぞれ一枚配されている。補助シート１５は、図３に示すように、内層シート１４の縦方向Ｙの端部１４ｗの上下に亘って延在している。また、補助シート１５は、おむつ１Ａの横方向Ｘ中央部においては、図３に示すように、吸収性本体１０の縦方向Ｙの端部１０ｗの上下に亘っても延在している。このように、補助シート１５は、外層シート１２の肌対向面と対向する部分と内層シート１４の肌対向面と対向する部分と吸収性本体１０の肌対向面と対向する部分とを有している。
【００１４】
おむつ１Ａの吸収性本体１０は、図２〜図３に示すように、おむつの縦方向Ｙと同方向に長い長方形状であり、液透過性の表面シート２、液不透過性又は液難透過性（撥水性等）の裏面シート３及び両シート２，３間に介在配置された液保持性の吸収体４を有している。表面シート２は、おむつ１Ａにおいては、図３に示すように、裏面シート３及び吸収体４それぞれの縦方向Ｙ外方に延出し、吸収体４の縦方向Ｙ端部４ｗにおいて外面側（非対向面側）に折り返されており、折り返された部分が裏面シート３の肌対向面と吸収体４の非肌対向面との間に配設固定されている。また、おむつ１Ａにおいては、図２に示すように、吸収性本体１０の長手方向に沿う左右両側に、液抵抗性ないし撥水性で且つ通気性の素材から構成された側方カフス８，８が形成されている。各側方カフス８の自由端部の近傍には、複数の側方カフス弾性部材８１が伸張状態で配されている。側方カフス８は、おむつ着用時に起立して液の側方への流出を阻止する。
【００１５】
おむつ１Ａの腹側部Ａは、図２〜図３に示すように、ウエスト弾性部材５１の配されたウエスト領域Ａ１、外装体１１の外層シート１２と中間シート１３とを固定する下腹部接着剤１８が直接塗布された下腹部弾性部材９１の配された下腹部領域Ａ３、ウエスト領域Ａ１と下腹部領域Ａ３との間に位置する上腹部領域Ａ２を有している。このように、おむつ１Ａにおける腹側部Ａは、ウエスト開口縁Ｗ側から股部Ｃ側に向かって順に、ウエスト領域Ａ１、上腹部領域Ａ２及び下腹部領域Ａ３を有している。おむつ１Ａにおける背側部Ｂも、腹側部Ａと同様に、ウエスト開口縁Ｗ側から股部Ｃ側に向かって順に、ウエスト領域Ｂ１、上背部領域Ｂ２及び下背部領域Ｂ３を有している。以下、上腹部領域Ａ２と上背部領域Ｂ２を合わせて上胴部領域、下腹部領域Ａ３，下背部領域Ｂ３を合わせて下胴部領域とも言う。下胴部領域（下腹部領域Ａ３及び下背部領域Ｂ３）は、図２〜図３に示すように、腹側部Ａ又は背側部Ｂにおいて、吸収性本体１０の吸収体４と外装体１１とが重なっている領域である。尚、腹側部Ａは、図１〜図２に示すように、おむつ１Ａの縦方向Ｙの一端側のウエスト開口縁Ｗからレッグ開口部６の上端Ｓｔまでの部位であり、背側部Ｂは、おむつ１Ａの縦方向の他端側のウエスト開口縁Ｗからレッグ開口部６の上端Ｓｔまでの部位である。
以下、主としておむつ１Ａの腹側部Ａにおけるウエスト領域Ａ１、上腹部領域Ａ２及び下腹部領域Ａ３の構成について、図３を参照しつつ説明するが、背側部Ｂにおけるウエスト領域Ｂ１、上背部領域Ｂ２及び下背部領域Ｂ３も同様の構成を有している。本明細書で説明する他の実施形態についても同様である。
【００１６】
ウエスト領域Ａ１は、腹側部Ａにおいて、ウエスト開口縁Ｗに沿っておむつ１Ａの横方向Ｘに延びる帯状の領域である。ウエスト領域Ａ１には複数本（図示例は５本）のウエスト弾性部材５１が、それぞれおむつ１Ａの横方向Ｘに延びて横方向Ｘに伸長させた状態で外層シート１２の肌対向面に固定されている。ウエスト弾性部材５１の本数は、ウエスト領域Ａ１それぞれに３〜２０本配されていることが好ましく、より好ましくは５〜１５本である。ウエスト弾性部材５１は外装体１１の外層シート１２と補助シート１５との間に配されており、ウエスト領域Ａ１における外層シート１２及び／又は補助シート１５の略全面に塗布された接着剤１６を介して固定されている。おむつ１Ａにおけるウエスト弾性部材５１は、腹側部Ａ及び背側部Ｂそれぞれにおいてサイドシール部Ｓ，Ｓ間の全域に亘って配されている。おむつ１Ａの着用状態においては、ウエスト弾性部材５１の収縮により外層シート１２及び補助シート１５に多数の襞ないし凹凸が生じて、ウエストギャザーＧ１が形成される（図１参照）。
【００１７】
上腹部領域Ａ２は、最も股部Ｃ寄りのウエスト弾性部材５１と、下腹部接着剤１８の直接塗布された最もウエスト開口縁Ｗ寄りの下腹部弾性部材９１との間に位置し、おむつ１Ａの横方向Ｘの延びる帯状の領域である。上腹部領域Ａ２においては、図３に示すように、上腹部弾性部材７１が内層シート１４（中間シート１３）の肌対向面側の面に横方向Ｘに延びて固定され、外層シート１２と内層シート１４（中間シート１３）との間に非接合状態となっている上腹部非接合領域Ｒ１が存在している。これによって、上腹部弾性部材７１は外層シート１２とは接しないようになされている。また、上腹部領域Ａ２において外層シート１２には、ギャザー形成用の弾性部材が接合されていない。上腹部領域Ａ２には複数本（図示例は３本）の上腹部弾性部材７１が、それぞれおむつ１Ａの横方向Ｘに延びて内層シート１４（中間シート１３）と補助シート１５の間に伸長状態で固定されている。上腹部弾性部材７１の本数は上腹部領域Ａ２に２〜１０本配されていることが好ましく、より好ましくは２〜５本である。
【００１８】
具体的には、図３に示すように、最も下方（股部Ｃ側）に位置するウエスト弾性部材５１の下方に、外層シート１２と内層シート１４との間が非接合状態となされている上腹部非接合領域Ｒ１が形成されている。本実施形態のおむつ１Ａでは、上腹部領域Ａ２における、左右サイドシールの間の領域全てで非接合となされているが、当該領域の一部において外層シート１２と内層シート１４とが接合されている場合も含めて「非接合状態」という。ただし、その場合は上腹部領域Ａ２において、領域面積に対して接合部分の総面積は１５％以下、好ましくは１０％以下である。一部接合によって上腹部領域での外層シート１２の浮きすぎの状態を制限することが可能になるとともに、柔らかい外観や通気性といった非接合による効果も十分発揮することが可能となる。
上腹部領域Ａ２における上腹部非接合領域Ｒ１の縦方向Ｙの長さＬ１は、おむつ１Ａの縦方向Ｙの全長Ｌ（図２参照）の１〜１２％、特に、２〜９．５％であることが、おむつ外表面の広い範囲を柔軟で肌触りの良い領域とし、おむつを柔らかな印象を与えるものとする観点から好ましい。
【００１９】
上腹部非接合領域Ｒ１の厚み方向Ｚ内側（着用時に着用者の肌に近い側）の上腹部弾性部材７１の固定について具体的に説明すると、おむつ１Ａの上腹部領域Ａ２においては、図３に示すように上腹部弾性部材７１が上腹部弾性部材の配置位置に配された上腹部接着剤１７を介して、内層シート１４（中間シート１３）と補助シート１５との間に横方向Ｘに延びて固定されている。そして、縦方向Ｙに隣り合う上腹部弾性部材７１，７１どうしの間に、内層シート１４（中間シート１３）と補助シート１５とが接合されていない非接合領域Ｍが形成されている。おむつ１Ａにおいては、上腹部接着剤１７は上腹部弾性部材７１に直接塗布されており、内層シート１４と外層シート１２には接着剤は塗布されていない。このように、内層シート１４（中間シート１３）と補助シート１５とは、上腹部弾性部材７１の配置位置でのみ上腹部接着剤１７を介して固定されており、縦方向Ｙに隣り合う上腹部弾性部材７１，７１どうしの間では固定されていない。
おむつ１Ａの着用状態においては、上腹部弾性部材７１の収縮により、内層シート１４（中間シート１３）と補助シート１５とに多数の襞ないし凹凸が生じて、内側ギャザー（不図示）が形成される。内側ギャザーは、上腹部非接合領域Ｒ１より内側に位置するため、おむつ１Ａの外表面からは視認し難いものである。
【００２０】
下腹部領域Ａ３はおむつ１Ａの吸収体４の位置する領域に形成され、横方向Ｘに延びる帯状の領域であり、腹側部Ａにおいて最も股部Ｃ寄りに形成されている。下腹部領域Ａ３においては、図３に示すように複数本（図示例は６本）の下腹部弾性部材９１が、下腹部弾性部材９１の配置位置にのみ配された下腹部接着剤１８を介して外層シート１２と内層シート１４（中間シート１３）との間に横方向Ｘに延びて固定されている。そして、縦方向Ｙに隣り合う下腹部弾性部材９１，９１どうしの間に、外層シート１２と内層シート１４（中間シート１３）とが接合されていない非接合領域Ｎが形成されている。おむつ１Ａにおいては、下腹部接着剤１８は下腹部弾性部材９１に直接塗布されている。このように、内層シート１４（中間シート１３）と外層シート１２とは、下腹部弾性部材９１の配置位置でのみ下腹部接着剤１８を介して固定されており、縦方向Ｙに隣り合う下腹部弾性部材９１，９１どうしの間では固定されていない。尚、下腹部弾性部材９１の本数は３〜２０本が好ましく、より好ましくは５〜１５本である。
【００２１】
下腹部弾性部材９１は図１に示すように、おむつ１Ａにおいては吸収体４と重なる領域において横方向へ複数個に分断されている。具体的には、おむつ１Ａの６本の下腹部弾性部材９１それぞれが、例えば、特開２００２−２５３６０５号公報に記載の複合伸縮部材の製造方法に用いる弾性部材分断部を用いて個々複数個に分断されている。下腹部弾性部材９１における複数個に分断された分断弾性部材９１ａそれぞれは、吸収性本体１０の吸収体４にヨレを生じ難い観点から収縮力が発生しない状態となっていてもよいが、おむつ１Ａの着用状態において、吸収体４を幅方向Ｘに湾曲させ着用者にフィットさせる観点や、例えばおむつ１Ａが成人用の使い捨ておむつであり、吸収パッドを併用する際に、吸収体４を幅方向Ｘに湾曲させ吸収パッドの保持性を向上させて着用者にフィットさせる観点から、横方向Ｘに収縮力を有していることが好ましい。この場合、分断弾性部材９１ａ全てが収縮力を有することが好ましいが、一部の分断弾性部材が収縮力を発現しない状態となっていても構わない。全分断弾性部材９１ａのうち７０％以上の本数が収縮力を有していることが好ましい。
【００２２】
分断弾性部材９１ａが収縮力を有しているか否かは、以下のようにして判断する。自然状態において、おむつ1Ａに配されている分断弾性部材９１ａの両端部の位置を外装シートに印を付け、間隔Ａを測定する。次に、弾性部材９１ａの配されている部分を、内層シート１４及び外層シート１２が損傷しない範囲で荷重を加えて伸長させ、間隔Ｂを測定する。そして、荷重を開放して間隔Ｃを測定する。この際、間隔Ｂが間隔Ａよりも大きく、間隔Ｃが間隔Ｂより小さければ（理想的には、間隔Ｃと間隔Ａは同じ）、分断弾性部材９１ａは収縮力を備えている、と判断する。
【００２３】
分断弾性部材９１ａに収縮力を発生させない場合は、吸収体４と重なる領域の下腹部弾性部材９１は、成人用おむつにおいては１５個以上、特に１９個以上に分断されていることが好ましく、幼児用おむつにおいては１２個以上、特に１３個以上に分断されていることが好ましい。収縮力を発生させない観点からは、おむつ１Ａに配された各分断弾性部材９１ａの自然状態における横方向Ｘの長さは、成人用おむつにおいては１〜１０ｍｍ、特に１〜８ｍｍであることが好ましく、幼児用おむつにおいては１〜９ｍｍ、特に１〜８ｍｍであることが好ましい。
【００２４】
分断弾性部材９１ａに収縮力を発生させる場合は、吸収体４と重なる領域の下腹部弾性部材９１は、成人用おむつにおいては５〜１９個、特に８〜１５個に分断されていることが好ましく、幼児用おむつにおいては４〜１３個、特に６〜１２個に分断されていることが好ましい。収縮力を発生させる観点からは、おむつ１Ａに配された各分断弾性部材９１ａの自然状態における横方向Ｘの長さは、成人用おむつにおいては８〜３０ｍｍ、特に１０〜２０ｍｍであることが好ましく、幼児用おむつにおいては８〜２５ｍｍ、特に９〜１６ｍｍであることが好ましい。
【００２５】
上述したように、おむつ１Ａの下腹部弾性部材９１は、吸収体４と重なる領域において複数個に分断されているが、吸収性本体１０の両側縁の横方向Ｘ外方においては分断されずに伸縮力を発現する状態で配されている。従って、おむつ１Ａの着用状態においては、図１に示すように、下腹部領域Ａ３における吸収体４の両側縁外方において下腹部弾性部材９１の伸縮により外層シート１２及び中間シート１３に多数の襞ないし凹凸が生じて、下腹部ギャザーＧ３，Ｇ３が形成される。
【００２６】
外装体１１には、更にレッグ部弾性部材６１が配されている。レッグ部弾性部材６１は横方向Ｘの両端部それぞれが腹側部Ａ及び背側部Ｂに位置し、レッグ開口部６の開口縁に沿って湾曲させて配されている。レッグ部弾性部材６１は外層シート１２と内層シート１４との間に伸長状態で配されており、おむつ１Ａの着用状態においては、おむつ１Ａのレッグ開口部６，６に脚回りに沿って収縮するレッグギャザーを形成する。
【００２７】
上述したおむつ１Ａの各部の形成材料について説明する。
表面シート２、裏面シート３、吸収体４、及び側方カフス８形成用シート等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、樹脂フィルムや樹脂フィルムと不織布の積層体等を用いることができ、通気性の観点から透湿性のものが好ましい。吸収体４は、パルプ繊維等の繊維の集合体（不織布であっても良い）からなる吸収性コア又はこれに吸水性ポリマーの粒子を保持させてなる吸収性コアを、ティッシュペーパ等からなるコアラップシートで被覆したものを用いることができる。
【００２８】
また、外層シート１２，内層シート１４，補助シート１５としても、使い捨ておむつ等の吸収性物品に従来用いられている各種のシート材を特に制限なく用いることができるが、不織布を用いることが好ましく、不織布としては、エアースルー不織布、ヒートロール不織布、スパンレース不織布、スパンボンド不織布、メルトブローン不織布の単層の不織布又はこれらが２層以上に積層された積層不織布等が好ましい。また、外層シート１２，内層シート１４，補助シート１５として、不織布とフィルムとを一体化したシート等を用いることもできる。
【００２９】
弾性部材５１，６１，７１，８１，９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
弾性部材５１，６１，７１，８１，９１の太さは、４７０〜１２４０ｄｔｅｘ、特に６２０〜９４０ｄｔｅｘとすることが好ましい。特に、上胴部領域の弾性部材７１に関しては、装着感とずれ落ち抑制の両立、また、着用者肌当接側に配置されることからから痕付き抑制を考慮して６２０〜１６７０ｄｔｅｘとし、下胴部領域の弾性部材９１としては、装着感とずれ落ちの両立に加え、すっきりした外観を与える観点、また、吸収体を十分に抑える観点から４７０〜６８０ｄｔｅｘを使用することが好ましい。また、これらの効果を確実に達成する観点からは、上胴部弾性部材７１よりも下胴部弾性部材９１の方が細く、かつ本数が多いように配置されることが好ましい。
ウエスト弾性部材５１の配置間隔は、１〜１５ｍｍ、特に２〜１０ｍｍとすることが好ましい。上腹部弾性部材７１の配置間隔（非接合領域Ｍの縦方向Ｙの長さ）は、２〜４０ｍｍ、特に３〜３０ｍｍとすることが好ましい。下腹部弾性部材９１の配置間隔（非接合領域Ｎの縦方向Ｙの長さ）は、５〜２５ｍｍ、特に８〜１５ｍｍとすることが好ましい。
【００３０】
接着剤１６，１７，１８としては、使い捨ておむつ等の吸収性物品に従来用いられている各種のホットメルト接着剤等を特に制限なく用いることができる。
上腹部接着剤１７を上腹部弾性部材７１に直接塗工したり、下腹部接着剤１８を下腹部弾性部材９１に直接塗工したりする方法としては、弾性部材７１，９１に直接塗工するコームガンによる塗工方法が挙げられる。
【００３１】
上述したおむつ１Ａを使用した際の作用効果について説明する。
おむつ１Ａの上腹部領域Ａ２，上背部領域Ｂ２には、図１に示すように、外層シート１２と内層シート１４（中間シート１３）との間が非接合状態の非接合領域Ｒ１が形成されている。上腹部弾性部材７１の収縮により形成される内側ギャザー（不図示）は非接合領域Ｒ１より内側に位置するため、おむつ１Ａの外表面からは視認し難く、すっきりとした外観を呈している。また、おむつ１Ａは吸収体４の位置する下腹部領域Ａ３，下背部領域Ｂ３において、外層シート１２と内層シート１４（中間シート１３）との間が、図３に示すように下腹部弾性部材９１に塗布された下腹部接着剤１８を介して固定されている。従って、おむつ１Ａの着用時に、外層シート１２の動きに吸収体４が追従し易く、吸収体４がズレ難く、ヨレを生じ難いので、漏れが生じ難く、しかも着用感が向上する。更に、おむつ１Ａは図３に示すように、縦方向Ｙに隣り合う下腹部弾性部材９１どうしの間に外層シート１２と内層シート１４（中間シート１３）とが接合されていない非接合領域Ｎが形成されているので、着用時の通気性にも優れている。
【００３２】
また、おむつ１Ａは図３に示すように、下腹部領域Ａ３，下背部領域Ｂ３だけでなく上腹部領域Ａ２，上背部領域Ｂ２においても、縦方向Ｙに隣り合う上腹部弾性部材７１どうしの間に内層シート１４（中間シート１３）と補助シート１５とが接合されていない非接合領域Ｍが形成されているので、着用時の通気性にも優れている。
【００３３】
次に、本発明の第２〜４実施形態のおむつについて、図４〜図６に基づいて説明する。
第２〜４実施形態のおむつ１Ｂ〜１Ｄ（以下、「おむつ１Ｂ〜１Ｄ」ともいう）については、第１実施形態のおむつ１Ａと異なる点について説明する。特に説明しない点は、おむつ１Ａと同様であり、おむつ１Ａの説明が適宜適用される。また、作用効果についても同様である。
【００３４】
第２実施形態のおむつ１Ｂの上腹部領域Ａ２においては、図４に示すように、非接合領域Ｒ１の厚み方向Ｚ内側（着用時に着用者の肌に近い側）の上腹部弾性部材７１の固定が、おむつ１Ａと異なっている。具体的には、上腹部弾性部材７１は、外装体１１の内層シート１４（中間シート１３）及び／又は補助シート１５の略全面に塗布された接着剤１９を介して固定されている。接着剤１９としては、接着剤１６，１７，１８と同種のものを用いることができる。尚、上腹部弾性部材７１に上腹部接着剤１７を塗工し、上腹部接着剤１７及び接着剤１９により、上腹部弾性部材７１が、内層シート１４（中間シート１３）と補助シート１５との間に固定されていてもよい。
【００３５】
第３実施形態のおむつ１Ｃは、図５に示すように、おむつ１Ａの有する補助シート１５を有しておらず、補助シート１５の代わりに、吸収性本体１０の表面シート２が、裏面シート３及び吸収体４それぞれよりも縦方向Ｙ外方に延出している。具体的には、おむつ１Ｃの表面シート２は、吸収体４の縦方向Ｙ端部４ｗを越え、外装体１１の内層シート１４（中間シート１３）の縦方向Ｙ端部１４ｗを越えて延在し、外装体１１の外層シート１２の折り返された部分の非肌対向面に配設固定されている。
【００３６】
おむつ１Ｃのウエスト領域Ａ１においては、図５に示すようにウエスト弾性部材５１が外装体１１の外層シート１２と吸収性本体１０の表面シート２の延出部分との間に配されており、ウエスト領域Ａ１，Ｂ１における外層シート１２及び／又は表面シート２の延出部分の略全面に塗布された接着剤１６を介して固定されている。
【００３７】
おむつ１Ｃの上腹部領域Ａ２においては、図５に示すように、上腹部弾性部材７１が、上腹部弾性部材７１の配置位置にのみ配された上腹部接着剤１７を介して、外装体１１の内層シート１４（中間シート１３）と、吸収性本体１０の有する表面シート２の縦方向Ｙの延出部分との間に横方向Ｘに延びて固定されている。そして、縦方向Ｙに隣り合う上腹部弾性部材７１，７１どうしの間に、内層シート１４（中間シート１３）と、吸収性本体１０の有する表面シート２の縦方向Ｙの延出部分とが接合されていない非接合領域Ｍが形成されている。おむつ１Ｃにおいては、上腹部接着剤１７は、スパイラルパターン等の間欠パターンで、上腹部弾性部材７１を配する位置に対応するように、内層シート１４（中間シート１３）及び／又は表面シート２の延出部分に塗布されている。このように、内層シート１４（中間シート１３）と表面シート２の延出部分とは、上腹部弾性部材７１の配置位置でのみ、上腹部接着剤１７を介して固定されており、縦方向Ｙに隣り合う上腹部弾性部材７１，７１どうしの間では固定されていない。
【００３８】
第４実施形態のおむつ１Ｄは、図６に示すように、第３実施形態１Ｃにおける外装体１１の有する内層シート１４を有しておらず、内層シート１４の代わりに、吸収性本体１０の裏面シート３が吸収体４よりも縦方向Ｙ外方に延出している。具体的には、おむつ１Ｄの裏面シート３は吸収体４の縦方向Ｙ端部４ｗを越えて延在している。このようにおむつ１Ｄにおいては、中間シート１３は吸収性本体１０の有する裏面シート３である。
【００３９】
本発明のパンツ型吸収性物品は、上述の第１実施形態のおむつ１Ａ、第２実施形態のおむつ１Ｂ、第３実施形態のおむつ１Ｃ及び第４実施形態のおむつ１Ｄに何ら制限されるものではなく、適宜変更可能である。また、上述の第１〜第４実施形態のおむつ１Ａ〜１Ｄにおける各構成要件は、本発明の趣旨を損なわない範囲で、適宜組み合わせて実施できる。
【００４０】
例えば、上述の第１〜第４実施形態のおむつ１Ａ〜１Ｄの下腹部領域Ａ３，下背部領域Ｂ３においては、図１に示すように、下腹部弾性部材９１が、吸収体４と重なる領域において、複数個に分断されているが、分断されていなくてもよい。
【００４１】
また、上述の第１〜第４実施形態のおむつ１Ａ〜１Ｄにおいては、ウエスト領域Ａ１，Ｂ１、上胴部領域（上腹部領域Ａ２及び上背部領域Ｂ２）並びに下胴部領域（下腹部領域Ａ３及び下背部領域Ｂ３）に同様の構成が形成されていたが、腹側部Ａと背側部Ｂの構成が異なっていてもよく、具体的には、腹側部Ａのみに前述のウエスト領域Ａ１，上腹部領域Ａ２、下腹部領域Ａ３の構成を備える形態であってもよい。また、腹側部Ａと背側部Ｂで、各種弾性部材の本数、太さ、間隔等が異なっていてもよい。なお背側部Ｂの外層シート１２表面に廃棄用のファスニングテープを配置する場合、両部材の固定を確実なものとするために当該部分において外層シート１２と内層シート１４を接合することが出来る。この場合には、背側部Ｂにおいて、接合部分の総面積が上背部領域Ｂ２の面積に対して２０％以下、特に１５％以下とすることが好ましい。
【００４２】
また、上述の第１〜第４実施形態のおむつ１Ａ〜１Ｄにおいては、外装体１１を構成する少なくとも外層シート１２が、腹側部Ａ、股部Ｃ及び背側部Ｂに亘って連続しているものであるが、腹側部Ａ及び背側部Ｂに、別体の外装体１１が配されているものであっても良い。
また、パンツ型吸収性物品は、成人用又は幼児用のパンツ型使い捨ておむつの他、パンツ型の生理用ナプキン等であっても良い。
【符号の説明】
【００４３】
１Ａ，１Ｂ，１Ｃ，１Ｄ  パンツ型の使い捨ておむつ
２  表面シート
３  裏面シート
４  吸収体
５  ウエスト開口部
６  レッグ開口部
１０  吸収性本体
１１  外装体
１２  外層シート
１３  中間シート
１４  内層シート
１５  補助シート
１６，１９  接着剤
１７  上腹部接着剤
１８  下腹部接着剤
５１  ウエスト弾性部材
６１  レッグ部弾性部材
７１  上腹部弾性部材
８１  側方カフス弾性部材
９１  下腹部弾性部材
９１ａ  分断弾性部材
Ａ  腹側部
Ａ１  ウエスト領域
Ａ２  上腹部領域
Ａ３  下腹部領域
Ｂ  背側部
Ｂ１  ウエスト領域
Ｂ２  上背部領域
Ｂ３  下背部領域
Ｃ  股部
Ｒ１  上腹部非接合領域
Ｍ  非接合領域
Ｎ  非接合領域
Ｓ  サイドシール部
【図１】
0006008512.tif 000002
【図２】
0006008512.tif 000003
【図３】
0006008512.tif 000004
【図４】
0006008512.tif 000005
【図５】
0006008512.tif 000006
【図６】
0006008512.tif 000007